【事件の表示】
　平成　５年特許願第１７３３２８号「Ｘ線ＣＴ装置」拒絶査定不服審判事件〔平成　７年　１月２７日出願公開、特開平　７−　２３９４６〕について、次のとおり審決する。
【結　論】
　本件審判の請求は、成り立たない。
【理　由】
１．本願発明
　本願は、平成５年７月１３日の出願であって、その請求項１に係る発明は、平成１５年９月１２日付けの手続補正書により補正された明細書及び図面の記載からみて、その特許請求の範囲の請求項１に記載された次のとおりのものである。（以下、「本願発明」という。）
「【請求項１】　被検体のスキャノ画像を表示可能としたＸ線ＣＴ装置において、
前記スキャノ画像上に、前記被検体の体軸方向と垂直な断面の撮影径としての撮影領域及び前記体軸方向の撮影範囲を反映した枠を表示する表示手段と、
　この表示手段に表示された前記撮影領域及び前記撮影範囲を反映した枠の大きさを設定する設定手段と、
　この設定手段により設定された枠に従って前記被検体をスキャンするスキャン手段と、
　前記枠で示された撮影領域に従って、前記スキャンにより得られた投影データに基づいて画像を再構成する再構成手段とを
具備したことを特徴とするＸ線ＣＴ装置。」
　
２．引用刊行物の記載事項
　原査定の拒絶の理由に引用された特開平２−２２４６４６号公報（以下、「刊行物１」という。）には、図面とともに次の事項が記載されている。
ア．「Ｄ．課題を解決するための手段
　この発明は、このような目的を達成するために、次のような構成をとる。
　すなわち、この発明のＸ線ＣＴ装置は、複数のスキャン有効視野の大きさのそれぞれに対応した透過像投影平面上での位置を計算する手段と、これら各有効視野投影位置に対応した複数の線カーソルを透過像に重ね合わせて表示する画像表示装置と、前記複数の線カーソルのうちから関心部位を囲む線カーソルに対応したスキャン有効視野を入力設定する有効視野設定手段とを備えたものである。」（第２頁左上欄第５行〜第１６行）
イ．「通常のＣＴ検査は、１．透過像の撮影→２．透過像の表示→３．透過像上でのスキャン位置の設定→４．スキャン条件の設定→５．断層像のスキャン、の順に行われる。以下、順次説明する。
　１．透過像の撮影
　コンソール８でのキー操作等により、透過像撮影領域を設定入力する。
・・・（中略）・・・
　収集されたデータは画像計算装置４に送られ、透過像Ｉ１またはＩ２が求められる。次いで、有効視野投影位置計算装置５によって、各部位のスキャン有効視野ＶSS，ＶＳ，ＶＭ，ＶＬを示す透過像Ｉ１またはＩ２上での有効視野投影位置ＱSS，ＱＳ，ＱＭ，ＱＬが、第２図で説明した関係を用いて計算される。
　２．透過像の表示
　画像表示装置６において、第３図や第４図で示すように、透過像Ｉ１，Ｉ２が表示されるとともに、各部位の有効視野投影位置ＱSS，ＱＳ，ＱＭ，ＱＬに対応した画面上の位置にそれぞれ２本ずつの有効視野表示用の線カーソルＬＣSS，ＬＣＳ，ＬＣＭ，ＬＣＬが、・・・透過像Ｉ１，Ｉ２に重ね合わされて表示される。
　３．透過像上でのスキャン位置の設定
　画像表示装置６の画面を見ながら、コンソール８でのキー操作等により、線カーソルＬＣSS，ＬＣＳ，ＬＣＭ，ＬＣＬと交差する方向のスキャン位置設定カーソルＳＣｉ（ｉ＝１，２……）を移動させて透過像Ｉ１またはＩ２との関係において断層像撮影の際のスキャン位置を設定する。このスキャン位置の設定は、始点，終点、間隔、チルト角度等の入力で行われる。
　４．スキャン条件の設定
　画像表示装置６の画面を見て、透過像Ｉ１またはＩ２との関係において、線カーソルＬＣSS，ＬＣＳ，ＬＶＭ，ＬＣＬ・・・を参照しながら、断層像撮影のためのスキャン有効視野をＶSS，ＶＳ，ＶＭ，ＶＬのうちのいずれにするかを選択する。
・・・（中略）・・・
　５．断層像のスキャン
　スキャン位置設定カーソルＳＣｉ（ｉ＝１，２……）によって設定されたスキャン位置に患者ベッド２を順次移動させながら、Ｘ線検出器11によってＸ線を検出し、データ収集部３に収集されたデータを画像計算装置４に入力して、選択されたスキャン有効視野ＶＸ（Ｘ＝ＳＳ，Ｓ，ＭまたはＬ）の範囲内で再構成し、・・・」（但し、当該事項の１．〜５．は、公報においては各数字を○で囲むものである。第３頁左上欄第７行〜第４頁左上欄第７行）
ウ．第３図及び第４図において、スキャン位置設定カーソルＳＣ１，ＳＣ２，ＳＣ３，ＳＣ４が、被写体の透過像上に表示されている。
　
３．対比・判断
　刊行物１において、２本の線カーソルは、有効視野投影位置を表示するものであり、複数のスキャン位置設定カーソルのうちの両端のカーソルは、スキャン開始位置とスキャン終了位置を表示するものであるから、刊行物１の有効視野投影位置の領域は、本願発明の「撮影領域」に相当し、スキャン開始位置からスキャン終了位置までの範囲は、本願発明の「撮影範囲」に相当する。
　したがって、本願発明と刊行物１に記載された発明とは、
「被検体のスキャノ画像を表示可能としたＸ線ＣＴ装置において、
　前記スキャノ画像上に、前記被検体の体軸方向と垂直な断面の撮影径としての撮影領域及び前記体軸方向の撮影範囲を表示する表示手段と、
　この表示手段に表示された前記撮影領域及び前記撮影範囲の大きさを設定する設定手段と、
　この設定手段により設定された前記撮影領域及び前記撮影範囲に従って前記被検体をスキャンするスキャン手段と、
　前記撮影領域に従って、前記スキャンにより得られた投影データに基づいて画像を再構成する再構成手段とを
具備したＸ線ＣＴ装置。」である点で一致し、次の点で相違する。
　
　本願発明では、「枠」で撮影領域及び撮影範囲を設定し、この枠に従って被検体をスキャンし、この枠で示された撮影領域に従って画像を再構成するのに対し、刊行物１に記載された発明では、２本の線カーソルで撮影領域を、スキャン開始点カーソルと終了点カーソルで撮影範囲をそれぞれ設定し、これらの設定に従って被検体をスキャンし、２本の線カーソルで示された撮影領域に従って画像を再構成する点。
　
　上記相違点について検討する。
　刊行物１に記載された発明では、関心部位を囲む領域を、複数の縦線と横線とが交わる範囲として設定するものであるが、このような複数の縦線と横線で囲む範囲を「枠」として設定することは、例えば、画像診断では画像上の関心領域（ＲＯＩ）を枠として設定することは常套手段であるように、一般的な技法であり、また、Ｘ線ＣＴ装置においても、スキャノ画像上に撮影領域及び撮影範囲を枠として設定することは、周知技術（例えば、特開昭６３−３０２８３０号公報（特に、第３頁左下欄第７行〜第１２行，第２図，第３図）などを参照。）であるから、刊行物１に記載された発明における撮影領域及び撮影範囲の設定に「枠」を用いることは、当業者が容易に為し得ることであり、これに伴って、被検体のスキャンをこの枠に従って行ない、画像の再構成をこの枠で示された撮影領域に従って行なうことは、当然のことである。
　そして、本願発明の作用効果も、刊行物１に記載された発明及び上記周知技術から当業者であれば予測できる範囲のものである。
　
４．むすび
　以上のとおり、本願発明は、刊行物１に記載された発明及び上記周知技術に基づいて当業者が容易に発明をすることができたものと認められるから、特許法第２９条第２項の規定により特許を受けることができない。
　したがって、他の請求項に係る発明について審理するまでもなく、本願は拒絶されるべきものである。
　よって、結論のとおり審決する。